(57)【要約】【課題】サイネージサーバからサイネージ端末へのサイネージコンテンツのダウンロードが失敗または遅延した場合に、サイネージ端末でのブラックアウトを回避することを可能とする。【解決手段】サイネージ端末５が、所定のダウンロード命令に基づき、サイネージサーバ３からサイネージコンテンツをダウンロードする受信部３１と、受信部３１でダウンロードしたサイネージコンテンツを蓄積するコンテンツ蓄積部３２と、受信部３１でのサイネージコンテンツのダウンロードの成否を判定し、ダウンロードが成功したと判定された場合には、コンテンツ蓄積部３２に蓄積したサイネージコンテンツをその再生スケジュールにしたがって再生して表示し、ダウンロードが失敗したと判定された場合には、ダウンロードが失敗したサイネージコンテンツの代わりに予め定められた代替コンテンツを表示するコンテンツ表示部３３とを備えた構成とする。【選択図】図２
2017163486.tif 000002
【特許請求の範囲】
【請求項１】
サイネージサーバからダウンロードしたサイネージコンテンツを再生して表示するサイネージ端末であって、
所定のダウンロード命令に基づき、前記サイネージサーバから前記サイネージコンテンツをダウンロードする受信部と、
前記受信部でダウンロードした前記サイネージコンテンツを蓄積するコンテンツ蓄積部と、
前記受信部での前記サイネージコンテンツのダウンロードの成否を判定し、前記ダウンロードが成功したと判定された場合には、前記コンテンツ蓄積部に蓄積した前記サイネージコンテンツをその再生スケジュールにしたがって再生して表示し、前記ダウンロードが失敗したと判定された場合には、前記ダウンロードが失敗した前記サイネージコンテンツの代わりに予め定められた代替コンテンツを表示するコンテンツ表示部と
を備えたことを特徴とするサイネージ端末。
【請求項２】
前記コンテンツ表示部は、前記ダウンロードが前記再生スケジュールに定義された再生開始時刻までに完了しなかった場合に前記ダウンロードが失敗したと判定することを特徴とする請求項１に記載のサイネージ端末。
【請求項３】
前記代替コンテンツが、予め定められた映像提供サーバから提供される映像であることを特徴とする請求項１または請求項２に記載のサイネージ端末。
【請求項４】
前記代替コンテンツが、前記コンテンツ蓄積部に予め蓄積したデフォルトコンテンツであることを特徴とする請求項１または請求項２に記載のサイネージ端末。
【請求項５】
前記デフォルトコンテンツが、前記コンテンツ蓄積部に蓄積した再生済みのサイネージコンテンツであることを特徴とする請求項４に記載のサイネージ端末。
【請求項６】
前記サイネージコンテンツに、該コンテンツを前記デフォルトコンテンツとして用いることの可否を定義した利用可否情報が付与されており、
前記利用可否情報を参照して、前記デフォルトコンテンツとして用いることが可と定義された前記サイネージコンテンツを前記デフォルトコンテンツとして用いることを特徴とする請求項５に記載のサイネージ端末。
【請求項７】
請求項１から請求項６のいずれかに記載のサイネージ端末と、
前記サイネージ端末にサイネージコンテンツをダウンロード配信するサイネージサーバとを備えたことを特徴とするサイネージシステム。
【請求項８】
サイネージサーバからダウンロードしたサイネージコンテンツをサイネージ端末において再生して表示するコンテンツ再生方法であって、
所定のダウンロード命令に基づき、前記サイネージサーバから前記サイネージコンテンツをダウンロードする受信ステップと、
前記サイネージコンテンツを蓄積するコンテンツ蓄積ステップと、
前記受信ステップにおける前記サイネージコンテンツのダウンロードの成否を判定し、前記ダウンロードが成功したと判定された場合には、前記コンテンツ蓄積ステップにおいて蓄積した前記サイネージコンテンツをその再生スケジュールにしたがって再生して表示し、前記ダウンロードが失敗したと判定された場合には、前記ダウンロードが失敗した前記サイネージコンテンツの代わりに予め定められた代替コンテンツを表示するコンテンツ表示ステップと
を有することを特徴とするコンテンツ再生方法。
【発明の詳細な説明】
【技術分野】
【０００１】
本発明は、サイネージサーバからダウンロードしたサイネージコンテンツを再生して表示するサイネージ端末、それを備えたサイネージシステム、および前記サイネージ端末でのコンテンツ再生方法に関する。
【背景技術】
【０００２】
近年、サッカースタジアム、野球場、コンサート会場等のイベント施設、ショッピングセンター、ホテル、映画館、アミューズメントパーク等の商業施設、駅、空港等の公共交通施設などに設置された液晶ディスプレイ装置等の表示装置に、コマーシャル映像等のサイネージコンテンツを配信して再生することにより広告を行うデジタルサイネージ技術が広く普及している。このようなデジタルサイネージ技術は、ネットワークを介したダウンロード配信またはストリーミング配信によりサイネージコンテンツを配信するため、コンテンツの変更を迅速かつ容易に行うことができるという利点がある。また、これにより、テレビＣＭ、広告ポスター、広告看板等の場合と比べて、広告をより効果的または効率的に行うことができるという利点もある。
【０００３】
このようなデジタルサイネージ技術において、予め設定された時刻に、サイネージコンテンツの代わりにライブ情報（例えば、ライブ会場に設置したカメラで撮像したライブ映像）を表示する技術が知られている（特許文献１参照）。この特許文献１に記載の技術は、ライブ情報の再生開始時刻および再生終了時刻を予め設定しておくことにより、配信される広告コンテンツだけでなく、ライブ情報も任意に切り替えて表示することができるとしている。
【先行技術文献】
【特許文献】
【０００４】
【特許文献１】特開２０１０−０４５６３３号公報
【発明の概要】
【発明が解決しようとする課題】
【０００５】
しかしながら、従来のデジタルサイネージ技術では、ネットワークトラフィック（渋滞）等に起因してサイネージサーバからサイネージ端末へのサイネージコンテンツのダウンロードが失敗または遅延した場合に、サイネージ端末においてサイネージコンテンツをその再生開始時刻および再生終了時刻を定義した再生スケジュールにしたがって再生することができないという問題があった。このような場合は、再生開始時刻になってもサイネージコンテンツが再生されないため、サイネージ端末の表示画面が真っ黒になるブラックアウトと呼ばれる現象が起こる。そのため、サイネージコンテンツのダウンロードが失敗または遅延した場合は、ブラックアウトを回避するために、ダウンロードが失敗または遅延したサイネージコンテンツの代わりに何らかの代替コンテンツを表示することが望ましい。
【０００６】
上記特許文献１に記載された従来技術は、配信されるサイネージコンテンツだけでなく、ライブ情報も任意に切り替えて表示することができるとされているが、サイネージコンテンツの表示からライブ情報の表示に切り替える時刻は事前に設定する必要があるため、サイネージサーバからのサイネージコンテンツのダウンロードが失敗または遅延した場合に、ライブ情報を代替コンテンツとして表示することはできない。
【０００７】
本発明は、このような従来技術の課題を鑑みて案出されたものであり、サイネージサーバからサイネージ端末へのサイネージコンテンツのダウンロードが失敗または遅延した場合に、サイネージ端末でのブラックアウトを回避することが可能なサイネージ端末、サイネージシステムおよびコンテンツ再生方法を提供することを主目的とする。
【課題を解決するための手段】
【０００８】
本発明のサイネージ端末は、サイネージサーバからダウンロードしたサイネージコンテンツを再生して表示するサイネージ端末であって、所定のダウンロード命令に基づき、前記サイネージサーバから前記サイネージコンテンツをダウンロードする受信部と、前記受信部でダウンロードした前記サイネージコンテンツを蓄積するコンテンツ蓄積部と、前記受信部での前記サイネージコンテンツのダウンロードの成否を判定し、前記ダウンロードが成功したと判定された場合には、前記コンテンツ蓄積部に蓄積した前記サイネージコンテンツをその再生スケジュールにしたがって再生して表示し、前記ダウンロードが失敗したと判定された場合には、予め定められた代替コンテンツを表示するコンテンツ表示部とを備えたことを特徴とする。
【発明の効果】
【０００９】
本発明によれば、サイネージサーバからサイネージ端末へのサイネージコンテンツのダウンロードが失敗または遅延した場合に、サイネージ端末でのブラックアウトを回避することが可能となる。
【図面の簡単な説明】
【００１０】
【図１】（Ａ）本発明の第１実施形態に係るサイネージシステムの概略構成図、（Ｂ）サイネージシステムの適用例を示す図
【図２】サイネージシステムの機能ブロック図
【図３】図２のサイネージシステムに含まれるサイネージ端末の主要部の機能ブロック図
【図４】サイネージコンテンツのデータファイルの例を示す図
【図５】（Ａ）サイネージコンテンツのコンテンツデータの例を示す図、（Ｂ）プレイリスト情報およびスケジュール情報の例を示す図
【図６】サイネージ端末の状態の例を示す図
【図７】第１実施形態に係るサイネージ端末による処理の流れを示すフロー図
【図８】（Ａ）デフォルトコンテンツのコンテンツデータの例を示す図、（Ｂ）デフォルトプレイリスト情報およびデフォルトスケジュール情報の例を示す図
【図９】第２実施形態に係るサイネージ端末による処理の流れを示すフロー図
【図１０】（Ａ）再生済みのサイネージコンテンツのコンテンツデータの例を示す図、（Ｂ）デフォルトプレイリスト情報およびデフォルトスケジュール情報を示す図
【図１１】第３実施形態に係るサイネージ端末による処理の流れを示すフロー図
【図１２】第４実施形態に係るサイネージ端末でのダウンロードの成否の判定処理の流れを示すフロー図
【発明を実施するための形態】
【００１１】
上記課題を解決するためになされた第１の発明は、所定のダウンロード命令に基づき、サイネージサーバからダウンロードしたサイネージコンテンツを再生して表示するサイネージ端末であって、前記サイネージサーバから前記サイネージコンテンツをダウンロードする受信部と、前記受信部でダウンロードした前記サイネージコンテンツを蓄積するコンテンツ蓄積部と、前記受信部での前記サイネージコンテンツのダウンロードの成否を判定し、前記ダウンロードが成功したと判定された場合には、前記コンテンツ蓄積部に蓄積した前記サイネージコンテンツをその再生スケジュールにしたがって再生して表示し、前記ダウンロードが失敗したと判定された場合には、予め定められた代替コンテンツを表示するコンテンツ表示部とを備えたことを特徴とする。
【００１２】
この第１の発明に係るサイネージ端末によれば、サイネージサーバからのサイネージコンテンツのダウンロードが失敗した場合に、ダウンロードが失敗したサイネージコンテンツの代わりに代替コンテンツを表示することができる。これにより、ダウンロード失敗時のサイネージ端末でのブラックアウトを回避することが可能となる。
【００１３】
また、第２の発明では、上記第１の発明において、前記ダウンロードが前記再生スケジュールに定義された再生開始時刻までに完了しなかった場合に前記ダウンロードが失敗したと判定することを特徴とする。
【００１４】
この第２の発明に係るサイネージ端末によれば、サイネージサーバからのサイネージコンテンツのダウンロードが遅延した場合にも、ダウンロードが失敗したと判定することができる。これにより、ダウンロードが遅延した場合に、ダウンロードが遅延したサイネージコンテンツの代わりに代替コンテンツを表示して、サイネージ端末でのブラックアウトを回避することが可能となる。
【００１５】
また、第３の発明では、上記第１の発明または第２の発明において、前記代替コンテンツが、予め定められた映像提供サーバから提供される映像であることを特徴とする。
【００１６】
この第３の発明に係るサイネージ端末によれば、サイネージサーバからのサイネージコンテンツのダウンロードが失敗または遅延した場合に、代替コンテンツとして映像を容易に提供することができる。
【００１７】
また、第４の発明では、上記第１の発明または第２の発明において、前記代替コンテンツが、前記コンテンツ蓄積部に予め蓄積したデフォルトコンテンツであることを特徴とする。
【００１８】
この第４の発明に係るサイネージ端末によれば、サイネージサーバからのサイネージコンテンツのダウンロードが失敗または遅延した場合に、代替コンテンツとしてデフォルトコンテンツを容易に提供することができる。
【００１９】
また、第５の発明では、上記第４の発明において、前記デフォルトコンテンツが、前記コンテンツ蓄積部に蓄積した再生済みのサイネージコンテンツであることを特徴とする。
【００２０】
この第５の発明に係るサイネージ端末によれば、再生済みのサイネージコンテンツをデフォルトコンテンツとして用いることができるので、コンテンツ蓄積部にデフォルトコンテンツを予め蓄積しておく必要がなくなる。
【００２１】
また、第６の発明では、上記第５の発明において、前記サイネージコンテンツに、該コンテンツを前記デフォルトコンテンツとして用いることの可否を定義した利用可否情報が付与されており、前記利用可否情報を参照して、前記デフォルトコンテンツとして用いることが可と定義された前記サイネージコンテンツを前記デフォルトコンテンツとして用いることを特徴とする。
【００２２】
この第６の発明に係るサイネージ端末によれば、デフォルトコンテンツとして用いることが可と定義されたサイネージコンテンツをデフォルトコンテンツとして用いるので、予め定められた適切なサイネージコンテンツのみを代替コンテンツとして用いることが可能となる。これにより、不適切なサイネージコンテンツがデフォルトコンテンツとして用いられる恐れがない。
【００２３】
また、第７の発明は、請求項１から請求項６のいずれかに記載のサイネージ端末と、前記サイネージ端末にサイネージコンテンツをダウンロード配信するサイネージサーバとを備えたことを特徴とするサイネージシステムである。
【００２４】
また、第８の発明は、所定のダウンロード命令に基づき、サイネージサーバからダウンロードしたサイネージコンテンツをサイネージ端末において再生して表示するコンテンツ再生方法であって、前記サイネージサーバから前記サイネージコンテンツをダウンロードする受信ステップと、前記サイネージコンテンツを蓄積するコンテンツ蓄積ステップと、前記受信ステップにおける前記サイネージコンテンツのダウンロードの成否を判定し、前記ダウンロードが成功したと判定された場合には、前記コンテンツ蓄積ステップにおいて蓄積した前記サイネージコンテンツをその再生スケジュールにしたがって再生して表示し、前記ダウンロードが失敗したと判定された場合には、前記ダウンロードが失敗した前記サイネージコンテンツの代わりに予め定められた代替コンテンツを表示するコンテンツ表示ステップとを有することを特徴とする。
【００２５】
以下、本発明の実施の形態について、図面を参照しながら説明する。
【００２６】
（第１実施形態）
図１〜図７を参照して、本発明の第１実施形態に係るサイネージシステムについて説明する。図１（Ａ）は本発明の第１実施形態に係るサイネージシステムの概略構成図であり、（Ｂ）はサイネージシステムの適用例を示す図である。図２は、サイネージシステムの機能ブロック図であり、図３は、図２のサイネージシステムに含まれるサイネージ端末の主要部の機能ブロック図である。
【００２７】
サイネージシステム１は、サイネージサーバ３からサイネージ端末５にサイネージコンテンツをダウンロード配信し、サイネージ端末５においてサイネージコンテンツを再生して表示するためのシステムであり、図１（Ａ）に示すように、コンテンツ入力装置２と、サイネージサーバ３と、ライブサーバ４と、サイネージ端末５とを備えている。図１（Ａ）の例では、サイネージ端末５は３台表示されているが、サイネージ端末５の台数は特に限定されるものではない。サイネージサーバ３は、コンテンツ入力装置２とインターネットやＬＡＮ（Local Area Network）等のネットワーク６を介して互いに通信可能に接続されている。ただし、これに限らず、公知の通信ケーブルによって通信可能に直接接続される構成であってもよい。また、サイネージ端末５は、サイネージサーバ３およびライブサーバ４と、インターネットやＬＡＮ（Local Area Network）等のネットワーク７を介して互いに通信可能に接続されている。ただし、これに限らず、公知の通信ケーブルによって通信可能に直接接続される構成であってもよい。
【００２８】
このサイネージシステム１は、例えば、サッカースタジアム、野球場、コンサート会場等のイベント施設、ショッピングセンター、ホテル、映画館、アミューズメントパーク等の商業施設、駅、空港等の公共交通施設などに適用可能である。以下では、サイネージシステム１を、サッカースタジアムに適用した場合について説明する。本実施形態では、サイネージ端末５は、図１（Ｂ）に示すように、サッカースタジアムの建物内８の柱または壁に設置されており、サッカーの試合のライブ映像とサイネージコンテンツとを所定のタイミングで切り替えて表示している。ライブ映像とサイネージコンテンツとを切り替えるタイミングは、ユーザが手動で行ってもよいし、予め定められたスケジュールにしたがって自動的に行うようにしてもよい。図１（Ｂ）の例では、サイネージ端末５は、サッカースタジアムの建物内８の適所に５台設置されている。なお、サイネージ端末５の設置位置および設置台数は、特に限定されるものではない。
【００２９】
図２および図３を参照して、サイネージシステム１を構成するコンテンツ入力装置２、サイネージサーバ３、ライブサーバ４、サイネージ端末５の各装置について説明する。なお、図２では、図１（Ａ）に示したネットワーク６、７の表示は省略している。また、本実施形態では、サイネージコンテンツは動画像とする。ただし、サイネージコンテンツは動画像に限定されるものではなく、静止画像や音声等であってもよい。
【００３０】
コンテンツ入力装置２は、サイネージサーバ３にサイネージコンテンツを入力するための装置であり、サイネージコンテンツと、その再生スケジュールおよび再生端末を定義した情報（以降、「配信スケジュール情報」と称する）とを含むデータファイルが登録または更新される登録部１１と、登録部１１に登録または更新されたデータファイルをサイネージサーバ３に送信する送信部１２とを備えている。
【００３１】
図４は、サイネージコンテンツのデータファイルの例を示す図である。図４に示すように、サイネージコンテンツのデータファイルは、サイネージコンテンツのコンテンツＩＤ（例えば、「１０００」）、サイネージコンテンツのコンテンツデータ（例えば、「ａａａ.ｚｉｐ」）、そのコンテンツの再生スケジュール（例えば、「１０：００−１２：００」）、そのコンテンツの再生端末ＩＤ（例えば、「１００」、「１０１」）を含む。サイネージコンテンツは、複数のサイネージ端末５にダウンロード配信されるので、再生端末ＩＤは複数であり得る。
【００３２】
サイネージサーバ３は、コンテンツ入力装置２から送信されたサイネージコンテンツのデータファイル（図４参照）を受信する受信部２１と、受信部２１が受信したデータファイルを格納するコンテンツデータベース（ＤＢ）２２と、受信部２１が受信したデータファイルに含まれる配信スケジュール情報を記憶し管理するスケジュール管理部２３と、スケジュール管理部２３に記憶された配信スケジュール情報に基づき、コンテンツデータベース（ＤＢ）２２に格納されたサイネージコンテンツ（コンテンツデータ、再生スケジュール等）をサイネージ端末５にダウンロード配信する配信制御部２４と、サイネージ端末５からサイネージ端末５の端末状態情報を受信し記憶する端末状態管理部２５とを備えている。
【００３３】
ライブサーバ４は、サッカースタジアムの適所に設置されたカメラでサッカーの試合の模様を撮像したライブ映像を、ネットワーク７を介してサイネージ端末５に提供する映像提供サーバである。なお、カメラの設置位置や設置台数は特に限定されるものではない。本実施形態では、複数のカメラを適宜切り替えて撮像したサッカーの試合の映像をライブ映像としてサイネージ端末５に送信するものとする。
【００３４】
サイネージ端末５は、受信部３１と、コンテンツ蓄積部３２と、コンテンツ表示部３３と、状態管理部３４と、送信部３５とを備えている。サイネージ端末５は、例えば、サイネージサーバ３との間でデータ通信を行うセットトップボックスと、セットトップボックスから出力されたコンテンツを表示する表示装置とにより構成することが可能である。
【００３５】
受信部３１は、所定のダウンロード命令に基づき、サイネージサーバ３からサイネージコンテンツ（コンテンツデータ、再生スケジュール等）をダウンロード（受信）する。ダウンロード命令は、サイネージサーバ３からのダウンロード等により事前に入手しておくものとする。受信部３１のダウンロード結果（サイネージコンテンツ）は、コンテンツ蓄積部３２および後述するコンテンツ表示部３３のコンテンツ切替部４１に入力される。また、受信部３１は、後述するサイネージサービス選択部４２でサイネージサービスとしてライブ映像が選択された場合に、ライブサーバ４からライブ映像を受信して、コンテンツ表示部３３に入力する。
【００３６】
コンテンツ蓄積部３２は、受信部３１から入力されたサイネージコンテンツを蓄積（記憶）する。図５はサイネージコンテンツの例を示す図であり、（Ａ）はサイネージコンテンツのコンテンツデータの例を示し、（Ｂ）はその再生スケジュールであるプレイリスト情報およびスケジュール情報の例を示す。
【００３７】
図５（Ａ）に示すように、サイネージコンテンツのコンテンツデータには、そのコンテンツデータを一意に識別する識別子であるコンテンツＩＤが付されている。図５（Ａ）の例では、コンテンツＩＤとして「９００」が付されている。なお、図５（Ａ）の例では、コンテンツデータは１つであるが、コンテンツデータは複数であってもよい。その場合は、コンテンツデータ毎に、個別のコンテンツＩＤを付与する。
【００３８】
図５（Ｂ）に示すように、プレイリスト情報は、プレイリストＩＤとコンテンツリストとを含む。プレイリストＩＤは、そのプレイリスト情報を一意に識別するための識別子であり、図５（Ｂ）の例では、プレイリストＩＤとして「９０１」が付されている。コンテンツリストは、コンテンツデータの再生順を示すリストであり、コンテンツＩＤが再生順に並べられている。図５（Ｂ）の例ではコンテンツデータは１つであるので、そのコンテンツＩＤの「９００」がコンテンツリストに記載されている。
【００３９】
スケジュール情報は、スケジュールＩＤ、開始時間、終了時間、プレイリストＩＤ、端末ＩＤを含む。スケジュールＩＤは、そのスケジュール情報を一意に識別するための識別子であり、図５（Ｂ）の例では、スケジュールＩＤとして「９０２」が付されている。開始時間および終了時間はそのコンテンツデータの再生スケジュールであり、開始時間はそのコンテンツデータの再生開始時刻、終了時間はそのコンテンツデータの再生終了時刻をそれぞれ定義している。図５（Ｂ）の例では、開始時間は「１８：００」、終了時間は「１８：１５」と定義されている。プレイリストＩＤは、そのスケジュール情報に紐付けられたプレイリスト情報のプレイリストＩＤであり、端末ＩＤはそのスケジュール情報に紐付けられたサイネージ端末５の端末ＩＤである。図５（Ｂ）の例では、プレイリストＩＤとして「９０１」、端末ＩＤとして「１００」が記載されている。
【００４０】
コンテンツ表示部３３は、コンテンツ蓄積部３２に蓄積されたサイネージコンテンツ（コンテンツデータ）を、そのプレイリスト情報およびスケジュール情報を用いて再生する。コンテンツ表示部３３は、図３に示すように、コンテンツ切替部４１と、サイネージサービス選択部４２と、サービス選択部４３と、表示処理部４４とを備えている。
【００４１】
コンテンツ切替部４１は、受信部３１からダウンロード結果（サイネージコンテンツ）を取得し、そのダウンロード結果に基づきダウンロードの成否を判定する。サイネージコンテンツが正常にダウンロードされた場合は、ダウンロードが成功したと判定し、サイネージコンテンツが正常にダウンロードされなかった場合は、ダウンロードが失敗したと判定する。また、サイネージ端末５側の装置故障等に起因してサイネージコンテンツの書き込みを失敗した場合も、ダウンロードが失敗したと判定する。そして、ダウンロードが成功したと判定された場合は、サイネージサービス選択部４２に対して、コンテンツ蓄積部３２に蓄積したサイネージコンテンツをサイネージサービス（サイネージ端末５が提供可能なサービス）として選択するように命令する。一方、ダウンロードが失敗したと判定された場合は、サイネージサービス選択部４２に対して、ライブ映像をサイネージサービスとして選択するように命令する。
【００４２】
サイネージサービス選択部４２は、コンテンツ切替部４１からの命令に基づいて、サイネージサービスを選択する。サイネージサービスとは、サイネージ端末５が提供可能なサービスのことであり、ライブ映像を提供するサービスである「ライブ」、またはサイネージコンテンツを提供するサービスである「サイネージ」のいずれか一方が選択される。サイネージサービスとして「ライブ」が選択された場合は、サイネージサービス選択部４２は、受信部３１を介してライブサーバ４からライブ映像を取得する。
【００４３】
サービス選択部４３は、サイネージ端末５で表示するサービスを選択する。通常は、サイネージサービス選択部４２で選択されたサイネージサービスがサイネージ端末５で表示するサービスとして選択されるが、ユーザがサイネージサービス以外のサービスを指定した場合は、ユーザが指定したサービス（その他のサービス）がサイネージ端末５で表示するサービスとして選択される。これにより、例えばサッカースタジアムのＶＩＰルームに設置されたサイネージ端末５において、ＴＶ、ＣＡＴＶ等の映像サービスやプレゼン資料等を表示することが可能となる。ユーザによるサービスの指定、すなわちサイネージサービスからその他のサービスへの切り替えは、例えば、ＨＤＭＩ（登録商標）入力端子の切り替え（「その他の入力」への切り替え）により行うことができる。
【００４４】
表示処理部４４は、例えば液晶ディスプレイ等の表示装置であり、サービス選択部４３で選択されたサービスを出力して表示する。なお、表示処理部４４は、液晶ディスプレイに限定されるものではなく、サービス選択部４３で選択されたサービスを出力して表示することができる限り、プラズマディスプレイなどの他の表示装置であってもよい。
【００４５】
状態管理部３４は、サイネージ端末５の状態を示す端末状態を管理する。図６は、サイネージ端末５の状態の例を示す図である。図６に示すように、サイネージ端末５の状態は、具体的には、サイネージサービス選択部４２で選択されたサイネージサービスの状態（ライブ、サイネージ）、サービス選択部４３で選択されたサービスの状態（サイネージサービス、その他のサービス）、表示処理部４４の４３のＯＮ／ＯＦＦ状態（表示ＯＮ、表示ＯＦＦ）である。また、状態管理部３４は、上記の端末状態に、サイネージ端末５の端末ＩＤを加えて、状態通知データを作成する。
【００４６】
送信部３５は、状態管理部３４で作成された状態通知データをサイネージサーバ３の端末状態管理部２５に定期的に送信する。これにより、サイネージサーバ３がサイネージ端末５の状態を管理することが可能となる。なお、状態通知データの作成は、状態管理部３４ではなく、送信部３５で行うようにしてもよい。
【００４７】
詳細は図示しないが、サイネージシステム１の各構成装置（コンテンツ入力装置２、サイネージサーバ３、ライブサーバ４、サイネージ端末５）は、所定の制御プログラムに基づき各種情報処理や周辺機器の制御などを統括的に実行するＣＰＵ（Central Processing Unit）、ＣＰＵのワークエリア等として機能するＲＡＭ（Random Access Memory）、ＣＰＵが実行する制御プログラムやデータを格納するＲＯＭ（Read Only Memory）、ネットワークを介した通信処理を実行するネットワークインタフェース、モニタ（画像出力装置）、スピーカ、入力デバイス、およびＨＤＤ（Hard Disk Drive）などを含むハードウェア構成を有しており、各構成装置の各部の機能の少なくとも一部については、ＣＰＵが所定の制御プログラムを実行することによって実現可能である。なお、各構成装置の機能の少なくとも一部を他の公知のハードウェアによる処理によって代替してもよい。
【００４８】
次に、この第１実施形態に係るサイネージ端末５による処理の流れを、図７のフロー図を参照して説明する。
【００４９】
まず、受信部３１が、所定のダウンロード命令に基づき、サイネージサーバ３からサイネージコンテンツをダウンロードする（ＳＴ１０１）。受信部３１のダウンロード結果（サイネージコンテンツ）は、コンテンツ蓄積部３２およびコンテンツ切替部４１に入力される（ＳＴ１０２）。次に、コンテンツ切替部４１が、ダウンロード結果に基づき、受信部３１でのダウンロードの成否を判定する（ＳＴ１０３）。サイネージコンテンツが正常にダウンロードされた場合は、ダウンロードが成功したと判定し、サイネージコンテンツが正常にダウンロードされなかった場合は、ダウンロードが失敗したと判定する。また、サイネージ端末５側の装置故障等に起因してサイネージコンテンツの書き込みを失敗した場合も、ダウンロードが失敗したと判定する。ダウンロードが成功したと判定された場合（ＳＴ１０３：Ｙｅｓ）にはステップＳＴ１０４に進み、ダウンロードが失敗したと判定された場合（ＳＴ１０３：Ｎｏ）にはステップＳＴ１０５に進む。
【００５０】
ステップＳＴ１０４では、コンテンツ切替部４１が、サイネージサービス選択部４２に対して、コンテンツ蓄積部３２に蓄積したサイネージコンテンツをサイネージサービスとして選択するように命令する。ステップＳＴ１０５では、コンテンツ切替部４１が、サイネージサービス選択部４２に対して、ライブ映像をサイネージサービスとして選択するように命令する。そして、ステップＳＴ１０６では、表示処理部４４が、サイネージサービス選択部４２で選択されたサイネージサービスを表示する。
【００５１】
サイネージ端末５では、サイネージサーバ３からサイネージコンテンツがダウンロードされるたびに、上述のステップＳＴ１０１−ＳＴ１０６が繰り返し実行される。なお、ユーザがサイネージサービス以外のサービスを選択した場合は、表示処理部４４はユーザにより選択されたサービスを表示する。
【００５２】
以上のように構成された、本発明の第１実施形態に係るサイネージ端末５によれば、サイネージサーバ３からのサイネージコンテンツのダウンロードが失敗した場合には、ダウンロードが失敗したサイネージコンテンツの代わりに、ライブサーバ４から取得したライブ映像を代替コンテンツとして表示することができるので、ダウンロード失敗時のサイネージ端末５でのブラックアウトを回避することが可能となる。
【００５３】
（第２実施形態）
次に、図８および図９を参照して、本発明の第２実施形態に係るサイネージ端末５について説明する。この第２実施形態に係るサイネージ端末５は、代替コンテンツとして、ライブ映像ではなく、コンテンツ蓄積部３２に予め蓄積（記憶）したデフォルトコンテンツを用いる点が第１実施形態の場合とは異なる。なお、この第２実施形態では、以下で特に言及しない事項については、上述の第１実施形態の場合と同様とする。
【００５４】
デフォルトコンテンツは、サイネージ端末５が予め保持している任意のコンテンツであり、コンテンツ蓄積部３２に蓄積されている。本実施形態では、デフォルトコンテンツは動画像とする。ただし、デフォルトコンテンツは、動画像に限定されるものではなく、静止画像や音声等であってもよい。また、コンテンツ切替部４１は、デフォルトコンテンツを再生するためのデフォルトプレイリスト情報およびデフォルトスケジュール情報を保持している。図８は、デフォルトコンテンツの例を示す図であり、（Ａ）はデフォルトコンテンツのコンテンツデータの例を示し、（Ｂ）はその再生スケジュールであるデフォルトプレイリスト情報およびデフォルトスケジュール情報の例を示す。
【００５５】
図８（Ａ）に示すように、デフォルトコンテンツのコンテンツデータには、そのコンテンツデータを一意に識別する識別子であるコンテンツＩＤが付されている。図８（Ａ）の例では、コンテンツＩＤとして「１０００」が付されている。なお、図８（Ａ）の例では、コンテンツデータは１つであるが、コンテンツデータは複数であってもよい。その場合は、コンテンツデータ毎に、個別のコンテンツＩＤを付与する。
【００５６】
図８（Ｂ）に示すように、デフォルトプレイリスト情報は、プレイリストＩＤとコンテンツリストとを含む。プレイリストＩＤは、デフォルトプレイリスト情報を一意に識別するための識別子であり、図８（Ｂ）の例では、プレイリストＩＤとして「１００１」が付されている。コンテンツリストは、コンテンツデータの再生順を示すリストであり、コンテンツＩＤが再生順に並べられている。図８（Ｂ）の例では、コンテンツデータは１つであるので、そのコンテンツＩＤの「１０００」が記載されている。
【００５７】
デフォルトスケジュール情報は、スケジュールＩＤ、開始時間、終了時間、プレイリストＩＤ、端末ＩＤを含む。スケジュールＩＤは、そのデフォルトスケジュール情報を一意に識別するための識別子であり、図８（Ｂ）の例では、スケジュールＩＤとして「１００２」が付されている。開始時間および終了時間は、そのコンテンツデータの再生スケジュールであり、開始時間はそのコンテンツデータの再生開始時刻、終了時間はそのコンテンツデータの再生終了時刻をそれぞれ定義している。図８（Ｂ）の例では、開始時間は「０：００」、終了時間は「２３：５９」と定義されている。すなわち、デフォルトコンテンツは、いつでも再生可能である。プレイリストＩＤは、そのデフォルトスケジュール情報に紐付けられたデフォルトプレイリスト情報のプレイリストＩＤであり、端末ＩＤはそのデフォルトスケジュール情報に紐付けられたサイネージ端末５のＩＤである。図８（Ｂ）の例では、プレイリストＩＤとして「１００１」、端末ＩＤとして「１００」が記載されている。
【００５８】
次に、この第２実施形態に係るサイネージ端末５による処理の流れを、図９のフロー図を参照して説明する。
【００５９】
ＳＴ２０１−ＳＴ２０４は、上記の第１実施形態のＳＴ１０１−ＳＴ１０４と同様であるので説明は省略する。ＳＴ２０４に続くステップＳＴ２０５では、コンテンツ切替部４１が、サイネージサービス選択部４２にデフォルトプレイリスト情報およびデフォルトサービス情報を渡すとともに、サイネージサービス選択部４２に対して、コンテンツ蓄積部３２に予め蓄積したデフォルトコンテンツをサイネージサービスとして選択するように命令する。そして、ステップＳＴ２０６では、表示処理部４４が、サイネージサービス選択部４２で選択されたサイネージサービスを表示する。
【００６０】
以上のように構成された、本発明の第２実施形態に係るサイネージ端末５によれば、サイネージサーバ３からのサイネージコンテンツのダウンロードが失敗した場合には、ダウンロードが失敗したサイネージコンテンツの代わりに、コンテンツ蓄積部３２に予め蓄積したデフォルトコンテンツを代替コンテンツとして表示することができるので、ダウンロード失敗時のサイネージ端末５でのブラックアウトを回避することが可能となる。
【００６１】
（第３実施形態）
次に、図１０および図１１を参照して、本発明の第３実施形態に係るサイネージ端末５について説明する。この第３実施形態に係るサイネージ端末５は、デフォルトコンテンツとして、再生済みのサイネージコンテンツを用いる点が第２実施形態の場合とは異なる。なお、この第３実施形態では、以下で特に言及しない事項については、上述の第１実施形態および第２実施形態の場合と同様とする。
【００６２】
再生済みのサイネージコンテンツは、サイネージ端末５において過去に既に再生されたサイネージコンテンツであり、コンテンツ蓄積部３２に蓄積されている。また、コンテンツ切替部４１は、再生済みのサイネージコンテンツをデフォルトコンテンツとして再生するためのデフォルトプレイリスト情報およびデフォルトスケジュール情報を保持している。図１０は再生済みのサイネージコンテンツの例を示す図であり、（Ａ）は再生済みのサイネージコンテンツのコンテンツデータの例を示し、（Ｂ）はその再生スケジュールであるデフォルトプレイリスト情報およびデフォルトスケジュール情報を示す。
【００６３】
図１０（Ａ）の例では、再生済みのサイネージコンテンツのコンテンツデータが３つ存在しており、各サイネージコンテンツに、「１０」、「１１」、「１２」のコンテンツＩＤがそれぞれ付されている。また、各コンテンツデータには、そのコンテンツデータをデフォルトコンテンツとして用いることの可否を定義した利用可否フラグ（利用可否情報）が付与されている。利用可否フラグの「１」は、そのコンテンツデータは、その再生スケジュール（図５（Ｂ）参照）以外での再生が可であることを示す。すなわち、利用可否フラグの「１」は、そのサイネージコンテンツは、その再生後にデフォルトコンテンツとして利用できることを意味する。利用可否フラグの「０」は、そのサイネージコンテンツは、その再生スケジュール以外での再生が不可であることを示す。すなわち、利用可否フラグの「０」は、そのサイネージコンテンツは、その再生後にデフォルトコンテンツとして利用できないことを意味する。なお、サイネージコンテンツがテレビＣＭ等の広告情報である場合には、そのコンテンツの再生時間や回数に関する再生制限がかけられていることが多く、その再生制限情報を参照することで利用可否情報を設定するようにするとよい。
【００６４】
図１０（Ｂ）のデフォルトプレイリスト情報およびデフォルトスケジュール情報は、上記の第２実施形態の場合（図８（Ｂ）参照）と同様であるので説明は省略する。なお、デフォルトプレイリスト情報のコンテンツリストはデフォルト状態では空欄になっており、利用可否フラグが「１」のサイネージコンテンツがこのコンテンツリストに追加される。
【００６５】
次に、この第３実施形態に係るサイネージ端末５による処理の流れを、図１１のフロー図を参照して説明する。
【００６６】
ＳＴ３０１−ＳＴ３０４は、上記の第１実施形態のＳＴ１０１−ＳＴ１０４と同様であるので説明は省略する。ＳＴ３０４に続くステップＳＴ３０５では、コンテンツ蓄積部３２に蓄積した再生済みのサイネージコンテンツから、利用可否フラグ＝１のサイネージコンテンツを抽出する。続いてステップＳＴ３０６では、コンテンツ蓄積部３２から抽出した利用可否フラグ＝１のサイネージコンテンツをデフォルトプレイリスト情報のコンテンツリストに追加する。次のステップＳＴ３０７では、コンテンツ切替部４１が、サイネージサービス選択部４２にデフォルトプレイリスト情報およびデフォルトサービス情報を渡すとともに、サイネージサービス選択部４２に対して、コンテンツリストに追加された利用可否フラグ＝１のサイネージコンテンツをサイネージサービスとして選択するように命令する。そして、ステップＳＴ３０８では、表示処理部４４が、サイネージサービス選択部４２で選択されたサイネージサービスを表示する。
【００６７】
以上のように構成された、本発明の第３実施形態に係るサイネージ端末５によれば、サイネージサーバ３からのサイネージコンテンツのダウンロードが失敗した場合には、ダウンロードが失敗したサイネージコンテンツの代わりに、コンテンツ蓄積部３２に蓄積した再生済みのサイネージコンテンツを代替コンテンツとして表示することができるので、ダウンロード失敗時のサイネージ端末５でのブラックアウトを回避することが可能となる。また、再生済みのサイネージコンテンツをデフォルトコンテンツとして用いることができるので、コンテンツ蓄積部３２にデフォルトコンテンツを予め蓄積しておく必要がなくなる。また、デフォルトコンテンツとして用いることが可と定義されたサイネージコンテンツをデフォルトコンテンツとして用いるので、予め定められた適切なサイネージコンテンツのみを代替コンテンツとして用いることが可能となる。これにより、不適切なサイネージコンテンツがデフォルトコンテンツとして用いられる恐れがない。
【００６８】
（第４実施形態）
次に、図１２を参照して、本発明の第４実施形態に係るサイネージ端末５について説明する。この第４実施形態に係るサイネージ端末５は、ダウンロードが遅延した場合にもダウンロードが失敗したと判定することができる点が上述の第１実施形態ないし第３実施形態とは異なる。なお、この第４実施形態では、以下で特に言及しない事項については、上述の第１実施形態ないし第３実施形態の場合と同様とする。
【００６９】
この第４実施形態に係るサイネージ端末５では、サイネージサーバ３からのサイネージコンテンツのダウンロードがスケジュール情報に定義された開始時間（そのサイネージコンテンツの再生開示時間）までに完了しなかった場合にダウンロードが失敗したと判定する。以下、この第４実施形態に係るサイネージ端末５でのダウンロードの成否の判定処理の流れを、図１２のフロー図を参照して説明する。このダウンロードの成否の判定処理は、コンテンツ切替部４１およびコンテンツ切替部４１により制御された受信部３１により実行される。
【００７０】
まず、受信部３１が、サイネージサーバ３からスケジュール情報およびプレイリスト情報を取得する（ステップＳＴ４０１）。続いて、スケジュール情報から開始時間（そのサイネージコンテンツの再生開始時刻）を取得する（ステップＳＴ４０２）。次に、プレイリスト情報から、コンテンツリスト（再生順に並べたコンテンツＩＤのリスト）を取得する（ステップＳＴ４０３）。続くステップＳＴ４０４では、受信部３１が受信したスケジュール情報およびプレイリスト情報をコンテンツ蓄積部３２に蓄積する。次のステップＳＴ４０５では、コンテンツリストに定義されているコンテンツＩＤに基づき、サイネージコンテンツの取得（サイネージサーバ３からのダウンロード）およびコンテンツ蓄積部３２への蓄積を開始する。
【００７１】
次に、ステップＳＴ４０６では、現在時刻が、スケジュール情報から取得した開始時間（再生開始時刻）を経過したか否かを判定する。現在時刻が開始時間を経過したと判定された場合（ステップＳＴ４０６：Ｙｅｓ）にはステップＳＴ４０７に進み、現在時刻が開始時間を経過していないと判定された場合（ステップＳＴ４０６：Ｎｏ）にはステップＳＴ４０８に進む。
【００７２】
ステップＳＴ４０７では、ダウンロードが失敗したと判定する。ステップＳＴ４０８では、受信部３１のダウンロード結果に基づき、コンテンツリストに定義されているサイネージコンテンツを全て取得したか否かを判断する。コンテンツリストに定義されているサイネージコンテンツを全て取得したと判定された場合（ステップＳＴ４０８：Ｙｅｓ）にはステップＳＴ４０９に進み、全て取得していないと判定された場合（ステップＳＴ４０６：Ｎｏ）にはステップＳＴ４０５に戻る。ステップＳＴ４０９では、ダウンロードが成功したと判定する。
【００７３】
このように、本発明の第４実施形態に係るサイネージ端末５によれば、サイネージサーバ３からのサイネージコンテンツのダウンロードがスケジュール情報に定義された開始時間（再生開始時刻）までに完了しなかった場合、すなわちダウンロードが遅延した場合に、ダウンロードが失敗したと判定することができる。これにより、ダウンロードが遅延した場合に、ダウンロードが遅延したサイネージコンテンツの代わりに代替コンテンツを表示して、サイネージ端末５でのブラックアウトを回避することが可能となる。
【００７４】
以上、本発明を特定の実施形態に基づいて説明したが、これらの実施形態はあくまでも例示であって、本発明はこれらの実施形態によって限定されるものではない。また、上記サイネージ端末、サイネージシステムおよびコンテンツ再生方法の各構成要素は、必ずしも全てが必須ではなく、少なくとも本発明の範囲を逸脱しない限りにおいて適宜取捨選択することが可能である。
【産業上の利用可能性】
【００７５】
本発明に係るサイネージ端末、サイネージシステムおよびコンテンツ再生方法は、サイネージサーバからサイネージ端末へのサイネージコンテンツのダウンロードが失敗または遅延した場合に、サイネージ端末でのブラックアウトを回避することを可能とするサイネージ端末、サイネージシステムおよびコンテンツ再生方法などとして有用である。
【符号の説明】
【００７６】
１    サイネージシステム
２    コンテンツ入力装置
３    サイネージサーバ
４    ライブサーバ
５    サイネージ端末
３１  受信部
３２  コンテンツ蓄積部
３３  コンテンツ表示部
３４  状態管理部
３５  送信部
４１  コンテンツ切替部
４２  サイネージサービス選択部
４３  サービス選択部
４４  表示処理部
【図１】
2017163486.tif 000003
【図２】
2017163486.tif 000004
【図３】
2017163486.tif 000005
【図４】
2017163486.tif 000006
【図５】
2017163486.tif 000007
【図６】
2017163486.tif 000008
【図７】
2017163486.tif 000009
【図８】
2017163486.tif 000010
【図９】
2017163486.tif 000011
【図１０】
2017163486.tif 000012
【図１１】
2017163486.tif 000013
【図１２】
2017163486.tif 000014
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
イベント施設に設置され、ライブサーバから取得したイベント映像を表示する第１のサービスとサイネージサーバからダウンロードしたサイネージコンテンツを表示する第２のサービスとを有するサイネージ端末であって、
前記ライブサーバから前記イベント映像を取得すると共に、所定のダウンロード命令に基づき、前記サイネージサーバから前記サイネージコンテンツをダウンロードする受信部と、
前記受信部でダウンロードした前記サイネージコンテンツを蓄積するコンテンツ蓄積部と、
前記受信部での前記サイネージコンテンツのダウンロードの成否を判定し、前記ダウンロードが成功したと判定された場合には、前記第２のサービスを選択して、前記コンテンツ蓄積部に蓄積した前記サイネージコンテンツをその再生スケジュールにしたがって再生して表示し、前記ダウンロードが失敗したと判定された場合には、前記第１のサービスを選択して、前記ライブサーバから前記イベント映像を取得して表示するコンテンツ表示部と、
を備えたことを特徴とするサイネージ端末。
【請求項２】
前記コンテンツ表示部は、前記ダウンロードが前記再生スケジュールに定義された再生開始時刻までに完了しなかった場合に前記ダウンロードが失敗したと判定することを特徴とする請求項１に記載のサイネージ端末。
【請求項３】
サイネージサーバからダウンロードしたサイネージコンテンツを再生して表示するサイネージ端末であって、
所定のダウンロード命令に基づき、前記サイネージサーバから前記サイネージコンテンツをダウンロードする受信部と、
前記受信部でダウンロードした前記サイネージコンテンツを蓄積するコンテンツ蓄積部と、
前記受信部での前記サイネージコンテンツのダウンロードの成否を判定し、前記ダウンロードが成功したと判定された場合には、前記コンテンツ蓄積部に蓄積した前記サイネージコンテンツをその再生スケジュールにしたがって再生して表示し、前記ダウンロードが失敗したと判定された場合には、前記ダウンロードが失敗した前記サイネージコンテンツの代わりに予め定められた代替コンテンツを表示するコンテンツ表示部と、を備え、
前記代替コンテンツが、前記コンテンツ蓄積部に蓄積した再生済みサイネージコンテンツであり、前記再生済みサイネージコンテンツに、前記代替コンテンツとして用いることの可否を定義した利用可否情報が付与されており、
前記コンテンツ表示部は、前記利用可否情報を参照して、利用可と定義された前記再生済みサイネージコンテンツを選択して、前記代替コンテンツとして用いることを特徴とするサイネージ端末。
【請求項４】
請求項１から請求項３のいずれかに記載のサイネージ端末と、
前記サイネージ端末にサイネージコンテンツをダウンロード配信するサイネージサーバとを備えたことを特徴とするサイネージシステム。
【請求項５】
サイネージサーバからダウンロードしたサイネージコンテンツをサイネージ端末において再生して表示するコンテンツ再生方法であって、
所定のダウンロード命令に基づき、前記サイネージサーバから前記サイネージコンテンツをダウンロードする受信ステップと、
前記サイネージコンテンツを蓄積するコンテンツ蓄積ステップと、
前記受信ステップにおける前記サイネージコンテンツのダウンロードの成否を判定し、前記ダウンロードが成功したと判定された場合には、前記コンテンツ蓄積ステップにおいて蓄積した前記サイネージコンテンツをその再生スケジュールにしたがって再生して表示し、前記ダウンロードが失敗したと判定された場合には、前記ダウンロードが失敗した前記サイネージコンテンツの代わりに予め定められた代替コンテンツを表示するコンテンツ表示ステップと、を有し、
前記代替コンテンツが、前記コンテンツ蓄積ステップで蓄積した再生済みサイネージコンテンツであり、前記再生済みサイネージコンテンツに、前記代替コンテンツとして用いることの可否を定義した利用可否情報が付与されており、
前記コンテンツ表示ステップは、前記利用可否情報を参照して、利用可と定義された前記再生済みサイネージコンテンツを選択して、前記代替コンテンツとして用いることを特徴とするコンテンツ再生方法。
【手続補正２】
【補正対象書類名】明細書
【補正対象項目名】０００８
【補正方法】変更
【補正の内容】
【０００８】
本発明のサイネージ端末は、イベント施設に設置され、ライブサーバから取得したイベント映像を表示する第１のサービスとサイネージサーバからダウンロードしたサイネージコンテンツを表示する第２のサービスとを有するサイネージ端末であって、前記ライブサーバから前記イベント映像を取得すると共に、所定のダウンロード命令に基づき、前記サイネージサーバから前記サイネージコンテンツをダウンロードする受信部と、前記受信部でダウンロードした前記サイネージコンテンツを蓄積するコンテンツ蓄積部と、前記受信部での前記サイネージコンテンツのダウンロードの成否を判定し、前記ダウンロードが成功したと判定された場合には、前記第２のサービスを選択して、前記コンテンツ蓄積部に蓄積した前記サイネージコンテンツをその再生スケジュールにしたがって再生して表示し、前記ダウンロードが失敗したと判定された場合には、前記第１のサービスを選択して、前記ライブサーバから前記イベント映像を取得して表示するコンテンツ表示部と、を備えたことを特徴とする。
また、本発明のサイネージ端末は、サイネージサーバからダウンロードしたサイネージコンテンツを再生して表示するサイネージ端末であって、所定のダウンロード命令に基づき、前記サイネージサーバから前記サイネージコンテンツをダウンロードする受信部と、前記受信部でダウンロードした前記サイネージコンテンツを蓄積するコンテンツ蓄積部と、前記受信部での前記サイネージコンテンツのダウンロードの成否を判定し、前記ダウンロードが成功したと判定された場合には、前記コンテンツ蓄積部に蓄積した前記サイネージコンテンツをその再生スケジュールにしたがって再生して表示し、前記ダウンロードが失敗したと判定された場合には、前記ダウンロードが失敗した前記サイネージコンテンツの代わりに予め定められた代替コンテンツを表示するコンテンツ表示部と、を備え、前記代替コンテンツが、前記コンテンツ蓄積部に蓄積した再生済みサイネージコンテンツであり、前記再生済みサイネージコンテンツに、前記代替コンテンツとして用いることの可否を定義した利用可否情報が付与されており、前記コンテンツ表示部は、前記利用可否情報を参照して、利用可と定義された前記再生済みサイネージコンテンツを選択して、前記代替コンテンツとして用いることを特徴とする。
また、本発明のコンテンツ再生方法は、サイネージサーバからダウンロードしたサイネージコンテンツをサイネージ端末において再生して表示するコンテンツ再生方法であって、所定のダウンロード命令に基づき、前記サイネージサーバから前記サイネージコンテンツをダウンロードする受信ステップと、前記サイネージコンテンツを蓄積するコンテンツ蓄積ステップと、前記受信ステップにおける前記サイネージコンテンツのダウンロードの成否を判定し、前記ダウンロードが成功したと判定された場合には、前記コンテンツ蓄積ステップにおいて蓄積した前記サイネージコンテンツをその再生スケジュールにしたがって再生して表示し、前記ダウンロードが失敗したと判定された場合には、前記ダウンロードが失敗した前記サイネージコンテンツの代わりに予め定められた代替コンテンツを表示するコンテンツ表示ステップと、を有し、前記代替コンテンツが、前記コンテンツ蓄積ステップで蓄積した再生済みサイネージコンテンツであり、前記再生済みサイネージコンテンツに、前記代替コンテンツとして用いることの可否を定義した利用可否情報が付与されており、前記コンテンツ表示ステップは、前記利用可否情報を参照して、利用可と定義された前記再生済みサイネージコンテンツを選択して、前記代替コンテンツとして用いることを特徴とする。
【手続補正３】
【補正対象書類名】明細書
【補正対象項目名】００１１
【補正方法】変更
【補正の内容】
【００１１】
上記課題を解決するためになされた第１の発明は、イベント施設に設置され、ライブサーバから取得したイベント映像を表示する第１のサービスとサイネージサーバからダウンロードしたサイネージコンテンツを表示する第２のサービスとを有するサイネージ端末であって、前記ライブサーバから前記イベント映像を取得すると共に、所定のダウンロード命令に基づき、前記サイネージサーバから前記サイネージコンテンツをダウンロードする受信部と、前記受信部でダウンロードした前記サイネージコンテンツを蓄積するコンテンツ蓄積部と、前記受信部での前記サイネージコンテンツのダウンロードの成否を判定し、前記ダウンロードが成功したと判定された場合には、前記第２のサービスを選択して、前記コンテンツ蓄積部に蓄積した前記サイネージコンテンツをその再生スケジュールにしたがって再生して表示し、前記ダウンロードが失敗したと判定された場合には、前記第１のサービスを選択して、前記ライブサーバから前記イベント映像を取得して表示するコンテンツ表示部と、を備えたことを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
また、第３の発明では、サイネージサーバからダウンロードしたサイネージコンテンツを再生して表示するサイネージ端末であって、所定のダウンロード命令に基づき、前記サイネージサーバから前記サイネージコンテンツをダウンロードする受信部と、前記受信部でダウンロードした前記サイネージコンテンツを蓄積するコンテンツ蓄積部と、前記受信部での前記サイネージコンテンツのダウンロードの成否を判定し、前記ダウンロードが成功したと判定された場合には、前記コンテンツ蓄積部に蓄積した前記サイネージコンテンツをその再生スケジュールにしたがって再生して表示し、前記ダウンロードが失敗したと判定された場合には、前記ダウンロードが失敗した前記サイネージコンテンツの代わりに予め定められた代替コンテンツを表示するコンテンツ表示部と、を備え、前記代替コンテンツが、前記コンテンツ蓄積部に蓄積した再生済みサイネージコンテンツであり、前記再生済みサイネージコンテンツに、前記代替コンテンツとして用いることの可否を定義した利用可否情報が付与されており、前記コンテンツ表示部は、前記利用可否情報を参照して、利用可と定義された前記再生済みサイネージコンテンツを選択して、前記代替コンテンツとして用いることを特徴とする。
【手続補正１１】
【補正対象書類名】明細書
【補正対象項目名】００２２
【補正方法】変更
【補正の内容】
【００２２】
この第３の発明に係るサイネージ端末によれば、代替コンテンツとして用いることが可と定義されたサイネージコンテンツを代替コンテンツとして用いるので、予め定められた適切なサイネージコンテンツのみを代替コンテンツとして用いることが可能となる。これにより、不適切なサイネージコンテンツが代替コンテンツとして用いられる恐れがない。
【手続補正１２】
【補正対象書類名】明細書
【補正対象項目名】００２３
【補正方法】変更
【補正の内容】
【００２３】
また、第４の発明は、請求項１から請求項３のいずれかに記載のサイネージ端末と、前記サイネージ端末にサイネージコンテンツをダウンロード配信するサイネージサーバとを備えたことを特徴とするサイネージシステムである。
【手続補正１３】
【補正対象書類名】明細書
【補正対象項目名】００２４
【補正方法】変更
【補正の内容】
【００２４】
また、第５の発明は、サイネージサーバからダウンロードしたサイネージコンテンツをサイネージ端末において再生して表示するコンテンツ再生方法であって、所定のダウンロード命令に基づき、前記サイネージサーバから前記サイネージコンテンツをダウンロードする受信ステップと、前記サイネージコンテンツを蓄積するコンテンツ蓄積ステップと、前記受信ステップにおける前記サイネージコンテンツのダウンロードの成否を判定し、前記ダウンロードが成功したと判定された場合には、前記コンテンツ蓄積ステップにおいて蓄積した前記サイネージコンテンツをその再生スケジュールにしたがって再生して表示し、前記ダウンロードが失敗したと判定された場合には、前記ダウンロードが失敗した前記サイネージコンテンツの代わりに予め定められた代替コンテンツを表示するコンテンツ表示ステップと、を有し、前記代替コンテンツが、前記コンテンツ蓄積ステップで蓄積した再生済みサイネージコンテンツであり、前記再生済みサイネージコンテンツに、前記代替コンテンツとして用いることの可否を定義した利用可否情報が付与されており、前記コンテンツ表示ステップは、前記利用可否情報を参照して、利用可と定義された前記再生済みサイネージコンテンツを選択して、前記代替コンテンツとして用いることを特徴とする。